(57)【要約】【課題】ロールの回転を阻害せずに、収納部からのロールの飛び出しを防ぐ。【解決手段】底板２と前面板３と後面板４及び両端面板５，５で囲まれた収納部１０と、その後面板４上縁から蓋板６が連設されたラップフィルムの収納箱１において、前面板３の上縁に収納部１０内に折り込む補強板１１を連設し、その補強板１１端縁には、折目線ｒを介して外側に向かって延びる固定片１２を設ける。折目線ｒは、補強板１１先端に向かうほど端面板５から離れるように形成し、補強板１１は、収納部１０内へ完全に折り込まれて前面板３内側に沿うとともに、前記固定片１２は、前面板３の内面両端部で収納部１０内に延びて、その先端が端面板５内面に当接する。固定片１２の下縁は、ラップフィルムＦを巻回したロールＲの端部外周面に当接し、その下縁の外形がその外周面に沿う弧状であるので、ロールＲが飛び出さないように固定し得る。【選択図】  図１
2005047510.tif 000002
【特許請求の範囲】
【請求項１】
底板２と前面板３と後面板４及び両端面板５，５で囲まれた上面開口の収納部１０に、ラップフィルムを巻回したロールＲが収納され、前記後面板４上縁から蓋板６が連設されたラップフィルムの収納箱において、
前記前面板３の内面両端部に前記収納部１０内に延びる固定片１２をその幅方向を上下方向として設け、その固定片１２の下縁は、前記ロールＲの端部外周面に当接していることを特徴とするラップフィルムの収納箱。
【請求項２】
前記前面板３の上縁にその内面に沿う補強板１１を連設し、前記固定片１２を、その補強板１１の端縁に折目線ｒを介して連設して、前面板３の内面両端部に設けたことを特徴とするラップフィルムの収納箱。
【請求項３】
前記固定片１２は、収納部１０内の下方に向かうほど端面板５から離れるものであることを特徴とする請求項１又は２に記載のラップフィルムの収納箱。
【請求項４】
前記固定片１２の下縁は、その外形が前記ロールＲの外周面に沿う弧状であることを特徴とする請求項１乃至３のいずれかに記載のラップフィルムの収納箱。
【請求項５】
前記固定片１２の下縁は、ロールＲのラップフィルムが巻かれていない端部外周面に当接するものであることを特徴とする請求項１乃至４のいずれかに記載のラップフィルムの収納箱。
【発明の詳細な説明】
【０００１】
【発明の属する技術分野】
この発明は、食品包装用のロールに巻かれたラップフィルムを収納し、そのラップフィルムを必要量引き出して使用するための収納箱に関するものである。
【０００２】
【従来の技術】
従来のラップフィルムの収納箱は、例えば、本発明の実施形態である図１に基づいて説明すると、底板２とその底板２の各辺から立設された前面板３、後面板４及び両側の端面板５，５で囲まれた上面開口の収納部１０と、その収納部１０の開口を覆うように、後面板４の上縁から折目線を介して蓋板６が連設され、その蓋板６の先端縁から折目線を介して、前記前面板３を覆う蓋前面板７が延びている。その蓋前面板７には、横方向全長に亘るミシン目による切目線ｃが設けられて、蓋前面板７の切目線ｃより下方が前面板３に接着されている。切目線ｃで蓋前面板７を上下方向に切り離すことにより、蓋前面板７の切目線ｃから上部、及び蓋板６は、前記前面板３から離れて、後面板４に対して折目線を介して回動可能となるので、収納部１０の開口が開閉される。
【０００３】
前記前面板３の上縁には、図７に示すように、その前面板３の横方向全長に亘って延びる押さえ板８が連設され、その押さえ板８は、前面板３から折目線を介して収納部１０内へ折り込まれる。この折り込みは、押さえ板８が水平、又は先端に向かってやや下向き状態で維持されることにより、押さえ板８の下面あるいは先端縁が、収納部１０内に収めたロールＲに巻いたラップフィルムＦの表面を押さえるので、そのロールＲが収納部１０内から外へ飛び出しにくいようになっている（特許文献１、特許文献２参照）。
【０００４】
また、その押さえ板８の先端縁から、さらに、その押さえ板８の横方向全長に亘って延びる補助片を連設し、その補助片を折目線を介して前記押さえ板８からさらに内側に折り込み、ロールＲの浮き上がりにより押さえ板８が撓まないように補強するとともに、その補助片がロールに対して面的に接触することにより、そのフィルムの引出しの際の回転抵抗を安定化させたものもある（特許文献３参照）。
【０００５】
このほか、前記押さえ板８の両側端部に係止片を外側に向かって延ばすように設け、前記押さえ板８の折り込みとともに、その両係止片をそれぞれ両端面板５，５内側に沿うように前面板３側へ折り込んで、その係止片を両端面板５，５内面にそれぞれ接着させて、押さえ板８が上方へ跳ね上がらないように安定させたものもある（特許文献４参照）。
【０００６】
【特許文献１】
実公平６−１９４５５号公報（第４頁、第２−３図）
【特許文献２】
特開平７−３００１２９号公報（第７頁、第２図）
【特許文献３】
特開平８−１６９４４１号公報（第８頁、第２−３図）
【特許文献４】
特開平８−２１７０６４号公報（第５頁、第１−３図）
【０００７】
【発明が解決しようとする課題】
しかし、従来の特許文献１又は特許文献２に示す、押さえ板８によるロールＲの飛び出し防止機能は、その押さえ板８が、ロールＲの軸方向の広い範囲に亘り、そのロールＲあるいはロールＲに巻かれたフィルムＦに接触することにより、ロールＲの上方への浮き上がりを制止して発揮される。この押さえ板８は、その板状部材を成す幅方向がロールＲの軸方向に沿って配置されるため、ロールＲからの上下方向の力がその部材の板厚方向に作用する。このため、これらの部材は、ロールＲが浮き上がろうとする上下方向の力に対して強く抗することができない。
【０００８】
また、特許文献３に示すように、補助片を折り込むことにより押さえ板８の剛性を高めたり、あるいは、特許文献４に示すように、押さえ板８を上下方向に動かないように端面板５に接着する手段もあるが、部材がフィルムＦに直接強く接触することは、ロールの回転を阻害するとともに、無用なフィルムＦへの損傷を招く恐れもある。
【０００９】
そこで、この発明は、フィルム引出し時のロールの回転を阻害することなく、収納部からのロールの飛び出しを防ぐとともに、そのフィルムを傷つけないようにすることを課題とする。
【００１０】
【課題を解決するための手段】
上記の課題を解決するために、この発明は、底板と前面板と後面板及び両端面板で囲まれた上面開口の収納部に、ラップフィルムを巻回したロールが収納され、前記後面板上縁から蓋板が連設されたラップフィルムの収納箱において、前記前面板の内面両端部に前記収納部内に延びる固定片をその幅方向を上下方向として設け、その固定片の下縁は、前記ロールの端部外周面に当接するようにしたのである。
【００１１】
前記固定片は、ロール外周面に対して起立した状態で当接する板状部材を成しており、つまり、その板状部材の幅方向（平面方向）が収納部に対して上下方向となってその収納部内のロール外周面に対して交わった状態に配置される。このため、そのロールが収納部から飛び出そうとする際に発生する上下方向の力が、その固定片に対して、固定片の平面方向と平行、又は概ね平行に作用する。板状部材は、その板厚方向に加わる力よりも平面方向に加わる力に対して断面係数が大きいため、この上下方向の固定片は、前記ロールが上方へ浮き上がらないように強くしっかりと固定し得る。また、その固定片下縁とロール周面とが線的に接触して接触面積が少ないので、フィルム引出し時のロールの回転が阻害されにくい。
【００１２】
また、その前面板の上縁にその内面に沿う補強板を連設し、前記固定片を、その補強板の両端縁に折目線を介して連設して、前記前面板の内面両端部に設けるようにした構成を採用し得る。この構成において、前記補強板は、前面板上縁から収納部内へ完全に折り込まれるとともに、前記固定片は、その折り込まれた状態において、前記折目線を介して補強板端縁から収納部内に向かって延びている。
【００１３】
収納されたロールに、上方へ浮き上がる方向の力が加わると、その上方への動きを固定片下縁が受けるとともに、その固定片を介して補強板にも上向きの力が作用し、補強板が前記折り込み状態から起き上がろうとする。このため、ロールから加えられる力に対して、平面視コの字型を成す両固定片及び補強板が、その全体で抵抗することとなるので、ロールを収納部外へ飛び出さないようにする効果が大きい。
【００１４】
さらに、前記固定片は、収納部内の下方に向かうほど端面板から離れるものとした構成を採用し得る。このようにすれば、両側の固定片が、それぞれ下方へいくほど収納部内側に狭まる状態となるので、前記ロールを収納する際に、そのロールが固定片を外側へ押し広げながら収納部内へ入り、収納後は固定片が内側に戻って、元の位置でロールを上方から押さえて固定する。このため、ロールの収納作業時に、そのロールが通過する空間に介在する固定片を敢えて押さえるなどして避ける必要がなく、ロールを収納部内に押し込めば収納できるので作業が簡単である。
【００１５】
また、前記固定片の下縁は、その外形が前記ロールＲの外周面に沿う弧状とすれば、ロールの周面に沿って前記固定片下縁が線的に接触して、その摺動がスムースになるので、さらにフィルムの引出し時のロールの回転を良好にし得るとともに、ロールが収納部内で前後方向に移動することを抑えることができて使いやすい。
【００１６】
その固定片の下縁は、ロールのラップフィルムが巻かれていない端部周面に当接するものとすれば、その固定片がフィルムを傷つけにくい。
【００１７】
【発明の実施の形態】
一実施形態を図１乃至図４に示し、この実施形態のラップフィルムの収納箱は、図１に示すように、底板２と前面板３と後面板４及び両端面板５，５で囲まれた上面開口の直方体状収納部１０を有し、その収納部１０にラップフィルムＦを巻回したロールＲを収納するとともに、前記開口を開閉しうるように前記後面板４上縁から蓋板６を連設した収納箱１である。
【００１８】
この収納箱１は、図４のブランクの展開図に示すように、底板２の前後に連設された前面板３及び後面板４をそれぞれ折目線ｓで上方に折り曲げて底板２より立ち上げ、前記前面板３及び後面板４の両端縁よりそれぞれ外側にむかって連設された連結片１３及び連結片１４を、内側へ折り込んで重ねる。底板２の両端縁より外側に向かって連設された端面板５を折目線ｓで上方に折り曲げて底板２より立ち上げ、その端面板５の内面を、前記重ねられた連結片１３，１４の外面に貼付し、上面開口した収納部１０を構成する。
【００１９】
前記蓋板６は、その収納部１０の開口を覆うために、後面板４の上縁から折目線ｓを介して蓋板６が連設され、その蓋板６の先端縁から折目線ｓを介して、前記前面板３を覆う蓋前面板７が延びている。また、蓋板６の両端縁には、蓋端面板９が連設され、蓋前面板７両端縁に連設された連結片１７が、その蓋端面板９の内側に貼付される。
【００２０】
その蓋前面板７には、横方向全長に亘るミシン目による切目線ｃが設けられて、図１に示すように、蓋前面板７の切目線ｃより下方が前面板３に接着されている。切目線ｃで蓋前面板７を上下方向に切り離すことにより、蓋前面板７の切目線ｃから上部、及び蓋板６は、前記前面板３から離れて、後面板４に対して折目線ｓを介して回動可能となるので、収納部１０の前記開口が、図１の矢印Ａに示すように開閉される。その蓋前面板７の前記切目線ｃを挟んで蓋板６側の切断面には、その切断面から外方へ突出するように切刃Ｂが設けられて、ラップフィルムＦの切断に供される。
【００２１】
前記前面板３の上縁に、その横方向（収納されるロールＲの軸方向と同じ方向）全長に亘る補強板１１を連設し、その補強板１１の横方向両端縁には、折目線ｒを介して両側方外側に向かって延びる固定片１２をそれぞれ設けている。補強板１１と固定片１２とを区切る前記折目線ｒは、図４に示すように、補強板１１の前面板３への付け根の部分で、前面板３と連結片１３とを隔てる折目線ｓの位置、又はその内側直近の部分にあり、そこから補強板１１の先端に向かうに従って、その連結片１３から離れて中央寄りになるように直線状に形成されている。また、固定片１２は、補強板１１を折り込む前の状態において前面板３の両端縁よりも外側に延びている。
【００２２】
図４に示すブランクを組み立てる際に、補強板１１は、収納部１０内へ完全に折り込まれて前記前面板３の内面に沿うとともに、その折り込まれた状態において、固定片１２は、前記折目線ｒを介して内側に屈曲して、図２に示すように、その先端が端面板５内面に当接する。このとき、前記固定片１２は、収納部１０内空間の前面板３側の両隅を、前面板３側から端面板５側に向かって斜め方向に横断するように、前記前面板３と端面板５間で係止されるので、その固定片１２下縁が、収納部１０内に収納された前記ラップフィルムＦを巻回したロールＲの両端部外周面に当接する。
【００２３】
この固定片１２の横断位置を、図５（ａ）に示すように、ロールＲのフィルムＦが巻き取られていないロールＲ両端部にのみ当接するように、前記折目線ｒの位置、及び固定片１２の長さを設定すれば、固定片１２がフィルムＦを傷めることなく、そのフィルムＦ引出時のロールＲのスムースな回転を阻害しない。
【００２４】
また、固定片１２は、この折り込んだ状態で、図２に示すように、その下縁の外形が前記ロールＲの外周面に沿う弧状になっているので、収納したロールＲ周面とその固定片１２下縁との接触により、その弧部がロールＲをしっかりと捕捉し、収納部内で前後方向（収納されるロールＲの軸方向と直交する方向）へ移動することを抑える効果がある。
【００２５】
この固定片１２の係止状態は、前記折目線ｒが、補強板１１の前面板３への付け根の部分で、端面板５と交わる位置、又はその内側のすぐ近くの部分にあり、そこから補強板１１の先端に向かうに従って、その端面板５から離れるように直線状に形成されているので、図２又は図３に示すように、その固定片１２の上縁が、補強板１１側の根元部からその先端に亘って端面板５の内面に密着し、固定片１２の下縁は、図示するように、収納部１０内の空間を斜めに横断する形態となっている。
【００２６】
このとき、両側の固定片１２がそれぞれ内側へ傾斜して、下方へ向かって底板２側へ近づくほど、また、前面板３に近づくほど、両固定片１２，１２間の間隔が狭くなるように係止されているので、収納部１０内からその固定片１２下縁を上方へ向かって押し上げようとする力に対して、両固定片１２，１２は、力の方向に沿って末広がりとなるハの字型を成して、動かないように抵抗しやすい形態となっている。
【００２７】
また、一旦収納されたロールＲに、上方へ浮き上がる方向の力が加わると、その上方への動きを固定片１２が直接受けるとともに、その固定片１２を介して補強板１１にも上向きの力が作用し、補強板１１が起き上がろうとする。このため、ロールＲから加えられる力に対して、図５（ａ）に示すように、平面視コの字型を成す両固定片１２及び補強板１１が、その全体で抵抗することとなるので、ロールＲを収納部１０外へ飛び出さないようにする効果が大きい。
【００２８】
この収納部１０内には、図３に示すように、前面板３又は後面板４の両端縁から連設された連結片１３又は１４に半円状の切目線ｄが設けられ、この切目線ｄを切断して、その半円の部分の舌片１５を収納部１０内に向かって起立させている。この舌片１５を、収納部１０内のロールＲ端部からその中空部へ挿入することにより、さらに、ロールＲの収納部１０からの浮き上がりを防止し得る。
【００２９】
さらに、底板２の両端縁から連設された端面板５には、図２及び図３に示すように、その上縁に折目線ｔを介して上方へ延びる側片１６が設けられ、その折目線ｔを介して側片１６を外側へ突出するように折り曲げることにより、この側片１６が、蓋板６の両端に連設された蓋端面板９、及びその内側に貼付される蓋前面板７両端の連結片１７との段部１８に嵌まるようになっている。このため、図２に示すように、一旦開封した収納箱１は、再度蓋板６を閉める際に、前記段部１８への側片１６の嵌め込みによりその蓋板６が閉まった状態で固定され得るので、蓋板６が意に反して開放することによる、ロールＲの外への飛び出しを防止し得る。
【００３０】
なお、この実施形態では、前記折目線ｒは直線的に形成したが、この実施形態には限定されず、折目線ｒは、例えば、曲線を描くように形成してもよい。またその折目線ｒの位置や向きは、端面板５に平行な折目線ｒや、補強板１１の先端に向かうに従って、その端面板５に近づくように形成してもよい。
【００３１】
このとき、固定片１２の係止状態は、固定片１２が、前記折目線ｒを介して補強板１１から屈曲して、その屈曲から先端に至るまで直線状に係止されてもよいし、ある程度撓んで平面視円弧状に係止されていてもよい。また、固定片１２は、この実施形態のように、補強板１１の両側に設けずに、片側のみに設けてもよい。
【００３２】
また、収納箱１を構成するブランクにおいて、固定片１２は、必ずしも前面板３の両端縁よりも外側に延びているものでなくてもよく、折り込んだ状態で端面板５に当接するものであればよい。その固定片１２の端面板５内面への当接は、端面板５への直接の当接のみを意味するものではなく、その端面板５の収納部１０側に折り込まれた連結片１３，１４への当接も含めて意味するものである。
【００３３】
なお、その固定片１２の横断位置は、前記折目線ｒの位置、及び固定片１２の長さの設定により変化させることができる。例えば、図５（ｂ）に示すように、固定片１２の横断位置を、その先端側でフィルムＦに接触しないように設定しておけば、固定片１２の根元側、つまり、折目線ｒに近い部分においては、フィルムＦに多少接触するようにしても、使用上支障はない。
【００３４】
また、固定片１２は、収納部１０内へ向かって延びるように設けられていれば、図５（ｃ）に示すように、端面板５に当接しないようにした構成も採用し得る。固定片１２が、図５（ｃ）に示すように、全体的にフィルムＦに接触するようにした態様であっても、ロールＲの飛び出し防止の機能は発揮し得る。
【００３５】
さらに、前記側片１６の態様は、この実施形態以外にも、例えば、図６に示すように、端面板５の上縁に折目線ｕを介して折込片２０を連設し、その折込片２０を、図示するように内側に折り込むことにより、その折目線ｕの端面板５側に設けた切目線ｅにより、外側へ突出して、前記段部１８に嵌め込まれる側片１９を形成するようにしてもよい。
【００３６】
この舌片１５、側片１６，１９の形状は、実施の形態に限定されず自由であり、その機能を求めない場合は、両側に位置する前記舌片１５、又は側片１６，１９の各々について、その一方又は両方を省略してもよい。
【００３７】
また、この実施形態では、前面板３上縁に連設した補強板１１の両端に固定片を設けたが、この実施形態には限定されず、前記前面板３の内面に固定片を接着その他の手段により固定するようにした構成も採用し得る。
【００３８】
【発明の効果】
この発明は、以上のようにしたので、フィルム引出し時のロールの回転を阻害することなく、収納部からのロールの飛び出しを防ぐことができる。
【図面の簡単な説明】
【図１】一実施形態の斜視図
【図２】同実施形態の要部拡大図
【図３】同実施形態の要部拡大図
【図４】図１の展開図
【図５】図１の平面図で、（ａ）は固定片がフィルムに接触しない形態、（ｂ）は固定片がフィルムに一部接触する形態、（ｃ）は固定片がフィルムに接触する形態を示す
【図６】他の実施形態の要部拡大図
【図７】従来例の断面図
【符号の説明】
１  収納箱
２  底板
３  前面板
４  後面板
５  端面板
６  蓋板
７  蓋前面板
８  押さえ板
９  蓋端面板
１０  収納部
１１  補強板
１２  固定片
１３，１４，１７  連結片
１５  舌片
１６，１９  側片
１８  段部
２０  折込片
Ｆ  フィルム
Ｒ  ロール
【図１】
2005047510.tif 000003
【図２】
2005047510.tif 000004
【図３】
2005047510.tif 000005
【図４】
2005047510.tif 000006
【図５】
2005047510.tif 000007
【図６】
2005047510.tif 000008
【図７】
2005047510.tif 000009